(57)【要約】【課題】遊技盤面を流下するパチンコ球を受けたときは必ず回転するという本来の機能を発揮し、しかも、重要な障害釘にほぼ設定した通りに当って跳ね返り所期のゲーム性が狂うことがないパチンコ機の風車を提供する。【解決手段】軸筒部３に軸釘１８を挿通して遊技盤Ｇ面に取着され、軸筒部３の外周面に複数枚の羽根部１３が等間隔にかつ放射線状に突設され、遊技盤Ｇ面を流下するパチンコ球Ｂを隣り合う羽根部１３，１３間で受けて回転するパチンコ機の風車Ａであって、前記軸筒部３の外周面に隣り合う各羽根部１３，１３間の中間位置からずらせてかつ軸筒部３の長手方向に沿ってパチンコ球Ｂが当接する突条部１４を突設し、前記羽根部１３，１３間に受けられるパチンコ球Ｂを前記突条部１４により一方の羽根部１３側へ導くようにした構成からなる。【選択図】図５
2006122589.tif 000002
【特許請求の範囲】
【請求項１】
軸筒部に軸釘を挿通して遊技盤面に取着され、前記軸筒部の外周面に複数枚の羽根部が等間隔にかつ放射線状に突設され、前記遊技盤面を流下するパチンコ球を隣り合う前記羽根部間で受けて回転するパチンコ機の風車であって、前記軸筒部の外周面に隣り合う前記各羽根部間の中間位置からずらせてかつ前記軸筒部の長手方向に沿って前記パチンコ球が当接する突条部を突設し、前記羽根部間に受けられる前記パチンコ球を前記突条部により一方の前記羽根部側へ導くようにしたことを特徴とするパチンコ機の風車。
【発明の詳細な説明】
【技術分野】
【０００１】
本発明は、遊技盤面に取着され該遊技盤面を流下するパチンコ球を隣り合う羽根部間に受けて回転するパチンコ機の風車に関するものである。
【背景技術】
【０００２】
従来、パチンコ機の遊技盤面に取着される風車には、例えば次のような構成からなるものがある。すなわち、この風車は、軸釘が挿通される円筒状の軸筒部の前端に適宜デザインが前面に施された前飾り板が被着され、その後側の軸筒部の外周面に三枚の羽根部が等間隔にかつ放射線状に突設され、遊技盤面を流下するパチンコ球を隣り合う前記羽根部間で受けて回転するようになっている（例えば、特許文献１参照。）。
【特許文献１】特開平２００２−２００３１３号公報(第３頁、図１)
【発明の開示】
【発明が解決しようとする課題】
【０００３】
ところで、前記特許文献１の風車は、三枚の羽根部が軸筒部の外周面に等間隔にかつ放射線状に突設されていることから、遊技盤面に取着された状態では、三枚の羽根部の内、一枚が軸筒部から下方へ伸び、残りの二枚が軸筒部から上方へ逆ハの字状に伸びたＹ字状に位置して停止することがある。
【０００４】
このような状態で、前記逆ハの字状に位置する二枚の羽根部間にパチンコ球を受けたとき、そのパチンコ球が両羽根部間で軸筒部の上面に乗り、しかも、バランスが保たれてそのままその位置で留まってしまうことがある。このことは、パチンコ球が当って回転するという本来の風車の機能が阻害されることになる。
【０００５】
また、風車の下方に該風車に当って流下するパチンコ球を跳ね返し入賞装置側へ導く障害釘が植設される場合があり、一般に、その障害釘は前記入賞装置へパチンコ球が入賞し易くなるかし難くなるかを決めるもので、ゲーム性を左右する重要な釘である。そこで、常に釘師と言われる専門職人がその障害釘の調整を行なっている。ところが、前記のように風車にパチンコ球が留まると、その後のパチンコ球の流下方向や流下速度が本来設定した値と違ってしまい入賞装置への入賞確率が変わり、引いてはゲーム性が狂うこととなって、重大な問題を引き起すことになる。
【０００６】
そこで、本発明は上記課題を解決すべくなされたもので、遊技盤面を流下するパチンコ球を受けたときは必ず回転するという本来の機能を発揮し、しかも、重要な障害釘にほぼ設定した通りに当って跳ね返り所期のゲーム性が狂うことがないパチンコ機の風車を提供することを目的とするものである。
【課題を解決するための手段】
【０００７】
かかる目的を達成するため本発明に係るパチンコ機の風車は、軸筒部に軸釘を挿通して遊技盤面に取着され、軸筒部の外周面に複数枚の羽根部が等間隔にかつ放射線状に突設され、遊技盤面を流下するパチンコ球を隣り合う羽根部間で受けて回転するパチンコ機の風車であって、前記軸筒部の外周面に隣り合う各羽根部間の中間位置からずらせてかつ軸筒部の長手方向に沿ってパチンコ球が当接する突条部を突設し、前記羽根部間に受けられるパチンコ球を前記突条部により一方の羽根部側へ導くようにした構成からなる。
【発明の効果】
【０００８】
本発明に係るパチンコ機の風車は、軸筒部の外周面に隣り合う各羽根部間の中間位置からずらせてかつ軸筒部の長手方向に沿ってパチンコ球が当接する突条部を突設したので、たとえ三枚の羽根部がＹ字状に位置して停止しており、この状態で両羽根部間にパチンコ球が受けられても、該パチンコ球は突条部に当接してバランスが崩れ、必ず一方の羽根部側へ導かれてそこに留まるようなことはない。これにより、前記パチンコ球は前記羽根部を押動して流下することとなり、風車は必ず回転して本来の機能が維持されるという効果がある。
【０００９】
また、風車に当ったパチンコ球は一方向へ流下して重要な障害釘にほぼ設定した通りに当って跳ね返ることとなり、所期のゲーム性が狂うことがないという有益な効果もある。
【発明を実施するための最良の形態】
【００１０】
以下、本発明に係るパチンコ機の風車の実施の形態を図面に基づき説明する。図１は本発明に係る風車の前面斜視図、図２は同後面斜視図、図３は同分解斜図、図４は使用状態を示す風車の側面断面図、図５は同遊技盤の裏側から見た風車の背面図、図６は同遊技盤の裏側から見た風車の背面図をそれぞれ示す。
【００１１】
風車Ａは、風車本体１と該風車本体１の前面に被着される前飾り板２とから概ね構成される。風車本体１は、合成樹脂材により成形され、後記する軸釘１８が挿通される円筒状の軸筒部３の前端外周面に、該軸筒部３の中心軸を中心とする円板部４が一体に張設される。この円板部４前面の中心側は、後側へ向かって漏斗状に窪み凹部５が成形される。また、円板部４の外周縁部にはその外周縁に沿って複数の透孔６が列設されている。
【００１２】
前記軸筒部３はその中心軸線に沿って軸釘１８の外径よりも大きい内径の軸孔７が設けられ、内部後端に軸釘１８の外径よりも僅かに大きい内径の軸支持孔８を開設した軸支部９が一体に設けられている。前記軸孔７の前端口には合成樹脂製の支軸部材１０が嵌入される。この支軸部材１０は円筒状に成形され、前記軸支持孔８と同じ内径を有し軸釘１８が挿通される軸支持孔１１を有すると共にその外周面の前側に環状フランジ部１２が一体に周設されている。
【００１３】
そして、支軸部材１０を前記軸孔７の前端口に嵌入した状態では、支軸部材１０の前端面は円板部４の前端面よりも後方に位置し、軸釘１８の頭部１８ａがむやみに前方へ突出しないようにしている。軸筒部３の外周面には、前記円板部４の後側に位置して三枚の羽根部１３，１３，１３が等間隔にかつ放射線状に突設され、後記するように遊技盤Ｇ面を流下するパチンコ球Ｂを隣り合う羽根部１３，１３間で受けて風車Ａを回転させるようにしている。このため、隣り合う羽根部１３，１３間は、パチンコ球Ｂが一個入る程度の間隔に設定してある。
【００１４】
また、前記軸筒部３の外周面には、隣り合う各羽根部１３，１３間の中間位置からずらせてかつ軸筒部３の長手方向に沿ってパチンコ球Ｂが当接する突条部１４が突設されている。これにより、前記羽根部１３，１３間に受けられるパチンコ球Ｂが前記突条部１４により必ず一方の羽根部１３側へ導かれることになる。この突条部１４は、他に例えば突起を連続して列設するようにしても良い。
【００１５】
一方、前記前飾り板２は円形の金属板からなり、その外径が前記円板部４の外径とほぼ同じ寸法に設定される。そして、前飾り板２の前面に前記凹部５に対応する窪み部１５が成形され、その中心に支持部材１０の軸支持孔１１と連通する通孔１６が開設される。また、前飾り板２の外周縁には後方へ突出する折曲部１７が周設される。前飾り板２の前面には印刷により所望のデザインが施され、遊技の興趣が高められるようにしている。
【００１６】
前飾り板２は支軸部材１０を前側から軸孔７に嵌入した後、同じく前側から円板部４に被せられ、更に、折曲部１７を円板部４の外周縁の後側へカシメて固着する。このように、前飾り板２を合成樹脂材に比較し慣性力が大きい金属により成形することにより、風車Ａの回動動作の持続性を良くしている。
【００１７】
最後に、軸釘１８が軸支持孔１１を介して前側から軸孔７に挿通され、後部の軸支持孔８から出される。軸釘１８の挿通された風車Ａは図４に示すように遊技盤Ｇ面に軸釘１８を打ち込むことにより取着される。そして、遊技盤Ｇ面を流下するパチンコ球Ｂが隣り合う羽根部１３，１３間に受けられることにより、その球重量が一方の羽根部１３に加わり、その方向へ風車Ａが勢い良く回動することになる。
【００１８】
ところで、図５、図６に示すように、遊技盤Ｇ面に風車Ａが取着されると共にその下方に該風車Ａに当って流下するパチンコ球Ｂを跳ね返しその下方の入賞装置（図示せず。）側へ導くため、障害釘Ｎが並んで植設される場合がある。通常、この内の一本の障害釘Ｎ１は、前記入賞装置へパチンコ球Ｂが入賞し易くなるかし難くなるかを決め、引いてはゲーム性を左右する重要な釘となる。よって、常に釘師と言われる専門職人がその障害釘Ｎ１の調整を行なっている。
【００１９】
そこで、前記のように風車Ａには三枚の羽根部１３，１３，１３が等間隔に突設されている関係上、例えば、図５に示すように三枚の羽根部１３，１３，１３が正面Ｙ字形となる位置で風車Ａが停止し、しかも、逆ハの字状の羽根部１３，１３間にパチンコ球Ｂが入る場合がある。しかしながら、軸筒部３の外周面には隣り合う各羽根部１３，１３間の中間位置からずらせてかつ軸筒部３の長手方向に沿って突条部１４が突設されていることから、前記パチンコ球Ｂは突条部１４に当接してバランスが崩れ、必ず一方の羽根部１３側へ導かれてそこに留まるようなことはない。
【００２０】
これにより、前記パチンコ球Ｂは一方の前記羽根部１３を押動して流下することとなり、風車Ａは必ず回転して本来の機能が維持される。そして、前記パチンコ球Ｂは特定の障害釘Ｎ１に当って跳ね返り入賞装置側へ向かうことになる。
【００２１】
このように、本発明の風車Ａは、軸筒部３の外周面に隣り合う各羽根部１３，１３間の中間位置からずらせてかつ軸筒部３の長手方向に沿ってパチンコ球が当接する突条部１４を突設したので、たとえ三枚の羽根部１３，１３，１３がＹ字状に位置して停止しており、この状態で羽根部１３，１３間にパチンコ球Ｂが受けられても、該パチンコ球Ｂは突条部１４に当接してバランスが崩れ、必ず一方の羽根部１３側へ導かれてそこに留まるようなことはない。これにより、風車Ａは必ず回転することになる。
【００２２】
また、風車Ａに当ったパチンコ球Ｂは一方向へ流下して重要な障害釘Ｎ１にほぼ設定した通りに当って跳ね返ることとなり、所期のゲーム性が狂うことがない。
【図面の簡単な説明】
【００２３】
【図１】本発明に係る風車の前面斜視図。
【図２】同後面斜視図。
【図３】同分解斜図。
【図４】使用状態を示す風車の側面断面図。
【図５】同遊技盤の裏側から見た風車の背面図。
【図６】同遊技盤の裏側から見た風車の背面図。
【符号の説明】
【００２４】
３                    軸筒部
１３                  羽根部
１４                  突条部
１８                  軸釘
Ａ                    風車
Ｂ                    パチンコ球
Ｇ                    遊技盤
【図１】
2006122589.tif 000003
【図２】
2006122589.tif 000004
【図３】
2006122589.tif 000005
【図４】
2006122589.tif 000006
【図５】
2006122589.tif 000007
【図６】
2006122589.tif 000008